(57)【要約】    【課題】      受信信号の受信品質を向上することができ、かつ低消費電力化を実現することができる受信装置及び受信方法を提供する。    【解決手段】  受信装置１００は受信処理部１０２及び受信処理制御部１０４を備える。受信処理部１０２は、アンテナ１０１から受信された受信信号に対して受信処理を行う。受信処理制御部１０４は、受信信号の受信品質の高低に応じて、受信処理部１０２の受信特性の高低を制御する。受信処理制御部１０４においては、受信特性の高低を閾値に基づき判定し、この判定結果に基づき受信処理部１０２の受信特性を制御する。  【選択図】      図１
2005210171.tif 000002
【特許請求の範囲】
【請求項１】
受信信号に対して受信処理を行う受信処理手段と、
前記受信信号の受信品質の高低に応じて、前記受信処理手段の受信特性の高低を制御する受信処理制御手段と、
を備えたことを特徴とする受信装置。
【請求項２】
前記受信処理手段は、搬送波信号を出力する搬送波信号発生部と、前記受信信号と前記搬送波信号とを乗算する乗算処理部とを備え、
前記受信処理制御手段は、前記受信信号の受信品質の高低に応じて、前記搬送波信号の出力レベルの高低を制御することを特徴とする請求項１記載の受信装置。
【請求項３】
前記受信処理制御手段は、
前記搬送波信号発生部に多くの駆動電流を供給する高受信品質モード電源部と、
前記搬送波信号発生部に少ない駆動電流を供給する低消費電力モード電源部と、
前記高受信品質モード電源部と前記低消費電力モード電源部とを切り換える電源切換部と、
前記受信信号の受信品質を測定する受信品質測定部と、
前記受信品質の高低を決定する閾値に基づき前記受信品質の測定結果から受信品質の高低を判定し、この判定結果から前記電源切換部の切り換えを制御する閾値判定部と、
を更に備えたことを特徴とする請求項２記載の受信装置。
【請求項４】
前記受信処理手段は、前記受信信号からベースバンド信号を生成する乗算処理部と、前記ベースバンド信号に対して妨害波減衰処理を行うフィルタ処理部とを備え、
前記受信処理制御手段は、前記受信信号の受信品質の高低に応じて、前記フィルタ処理部から出力される前記ベースバンド信号の回線品質の高低を制御することを特徴とする請求項１記載の受信装置。
【請求項５】
前記受信処理制御手段は、
前記フィルタ処理部において前記ベースバンド信号の通過周波数帯域を切り換える通過周波数帯域切換部と、
前記受信信号の受信品質を測定する受信品質測定部と、
前記受信品質の高低を決定する閾値に基づき前記受信品質の測定結果から受信品質の高低を判定し、この判定結果から前記通過周波数帯域切換部の切り換えを制御する閾値判定部と、
を更に備えたことを特徴とする請求項４記載の受信装置。
【請求項６】
受信信号の受信品質を測定する段階と、
前記受信品質の高低を決定する閾値に基づき、前記測定された受信品質の高低を判定する段階と、
前記受信品質が高いと判定された場合に前記受信信号の受信特性を高くする制御を行い、前記受信品質が低いと判定された場合に前記受信信号の受信特性を低くする制御を行う段階と、
を備えたことを特徴とする受信方法。
【発明の詳細な説明】
【技術分野】
【０００１】
本発明は、受信装置及び受信方法に関し、特に携帯電話を含む移動体通信端末装置、この移動体通信端末装置との間において無線通信を行う基地局装置等の受信装置及び受信方法に関する。
【背景技術】
【０００２】
無線通信において、環境に応じて常時変化する回線品質（以下、単にＳＮＲ（Signal to Noise Ratio）という。）に対して変調方式や符号化率を設定し、最適な伝送レートを得る適応変調方式が知られている（例えば、特許文献１参照。）。図６に示すように、この適応変調方式を採用した受信装置１は、アンテナ素子（以下、単にアンテナという。）１１、受信処理部１２、受信ベースバンド信号処理部１３及びＳＮＲ測定部１４を備えている。また、受信装置１に対して信号を送信する送信装置２は、アンテナ２１、送信処理部２２、送信ベースバンド信号処理部２３及び変調方式制御部２４を備えている。
【０００３】
なお、受信装置１や送信装置２に組み込まれる、アンプ等の一般的な基本回路についての説明は省略する。
【０００４】
送信装置２において、変調方式制御部２４は、ＳＮＲ通知信号に基づき最適な伝送レートや変調方式を制御する。ここで、ＳＮＲ通知信号は、受信装置１のＳＮＲ測定部１４において復調信号から測定されたＳＮＲに基づき生成される。ＳＮＲ通知信号は、図示しない無線装置により、受信装置１から送信装置２に送信される。送信ベースバンド信号処理部２３は、変調方式制御部２４において決定された伝送レートや変調方式に従って送信する情報を変調し、送信ベースバンド信号を生成する。送信処理部２２は、送信ベースバンド信号を無線信号に変調し、この無線信号にフィルタ処理やアンプ処理を施す。アンテナ２１は、最終的にアンプ処理を経た無線信号を送信する。
【０００５】
一方、受信装置１において、アンテナ１１により受信された無線信号は受信処理部１２に入力される。受信処理部１２は無線信号を受信ベースバンド信号に変換する。受信処理部１２は、図７に示すように、乗算処理部１２ａ、フィルタ処理部１２ｂ及び搬送波信号発生部１２ｃを備えている。搬送波信号発生部１２ｃにおいては、希望の周波数の搬送波を発振することができる。乗算処理部１２ａは、無線信号に搬送波信号を乗算して受信ベースバンド信号を生成する。フィルタ処理部１２ｂは受信ベースバンド信号にフィルタ処理を施す。
【０００６】
受信処理部１２により変換された受信ベースバンド信号は、図６に示すように、受信ベースバンド信号処理部１３に入力される。受信ベースバンド信号処理部１３は受信ベースバンド信号に適切な変調方式において復調処理を行い、この復調処理により生成された復調信号はＳＮＲ測定部１４に入力される。ＳＮＲ測定部１４においては、復調信号から受信ＳＮＲが測定される。
【０００７】
ここで、ＳＮＲは受信装置１において受信品質の指標となる。ＳＮＲが劣化する主な要因は、伝搬路のノイズと受信装置１のノイズとである。従って、伝搬路においてＳＮＲの劣化が少なくても、受信装置１の内部においてＳＮＲの劣化が多いと、結果的に後者の劣化したレベルのＳＮＲが、受信装置１において受信可能な最高のＳＮＲとなってしまう。受信可能なＳＮＲが低ければ、適応変調方式による伝送レートが必然的に低くなる。
【特許文献１】特開平１０−２４７９００号公報
【発明の開示】
【発明が解決しようとする課題】
【０００８】
受信装置１においては、図７に示す受信処理部１２の搬送波信号発生部１２ｃから乗算処理部１２ａに出力される搬送波信号のノイズに起因するＳＮＲの劣化と、フィルタ処理部１２ｂのフィルタ処理に起因するＳＮＲの劣化とが、ＳＮＲの劣化の要因として支配的である。
【０００９】
前者の搬送波信号のノイズに起因するＳＮＲの劣化は、搬送波信号発生部１２ｃに流れる駆動電流を増加し、搬送波信号の出力レベルを高め、搬送波信号に対するノイズを相対的に減少することにより、抑制することができると考えられる。搬送波信号発生部１２ｃに流れる駆動電流とは、具体的には搬送波信号を生成するためのチャージポンプ、電圧制御発振器（ＶＣＯ：Voltage Controlled Oscillator）等の回路に流す駆動電流である。しかしながら、搬送波信号発生部１２ｃに流れる駆動電流を増加した場合、特に携帯電話等の移動体通信端末においては、消費電力が増大し、電池（バッテリィ）の持続時間が短くなるという問題が生じる。
【００１０】
また、後者のフィルタ処理に起因するＳＮＲの劣化は、フィルタ処理部１２ｂにおいて通過周波数帯域を広げ、利得偏差、位相偏差を抑えることにより、抑制することができると考えられる。しかしながら、フィルタ処理部１２ｂの通過周波数帯域を広げると、フィルタ処理部１２ｂの妨害波の抑制能力が低下するという問題が生じる。
【００１１】
本発明は、かかる点に鑑みてなされたものであり、受信品質を向上することができるとともに、低消費電力化を実現することができる受信装置及び受信方法を提供することを目的とする。
【００１２】
また、本発明は、受信品質を向上することができるとともに、妨害波の抑制能力を向上することができる受信装置及び受信方法を提供することを目的とする。
【課題を解決するための手段】
【００１３】
本発明の受信装置は、受信信号に対して受信処理を行う受信処理手段と、前記受信信号の受信品質の高低に応じて、前記受信処理手段の受信特性の高低を制御する受信処理制御手段とを備えた構成を採る。
【００１４】
この構成によれば、受信信号の受信品質が高い場合にはこの高い受信品質を優先して受信特性を高くすることができ、受信品質が低い場合には消費電力を減少することを優先して受信特性を低くすることができる。
【００１５】
本発明の受信装置は、前記受信処理手段は、搬送波信号を出力する搬送波信号発生部と、前記受信信号と前記搬送波信号とを乗算する乗算処理部とを備え、前記受信処理制御手段は、前記受信信号の受信品質の高低に応じて、前記搬送波信号の出力レベルの高低を制御する構成を採る。
【００１６】
この構成によれば、受信信号の受信品質が高い場合に、搬送波信号発生部において搬送波信号の出力レベルを高め、搬送波信号のノイズを相対的に減少することができるので、受信品質を高い状態で維持することができ、受信品質が低い場合に、搬送波信号発生部において搬送波信号の出力レベルを低くすることができる。
【００１７】
本発明の受信装置は、前記受信処理制御手段は、前記搬送波信号発生部に多くの駆動電流を供給する高受信品質モード電源部と、前記搬送波信号発生部に少ない駆動電流を供給する低消費電力モード電源部と、前記高受信品質モード電源部と前記低消費電力モード電源部とを切り換える電源切換部と、前記受信信号の受信品質を測定する受信品質測定部と、前記受信品質の高低を決定する閾値に基づき前記受信品質の測定結果から受信品質の高低を判定し、この判定結果から前記電源切換部の切り換えを制御する閾値判定部とを備えた構成を採る。
【００１８】
この構成によれば、受信品質を測定し、この測定結果から受信品質の高低を判定し、この判定結果に基づき搬送波信号発生部に供給する駆動電流を制御することができるので、搬送波信号発生部において搬送波信号の出力レベルを制御することができる。
【００１９】
本発明の受信装置は、前記受信処理手段は、前記受信信号からベースバンド信号を生成する乗算処理部と、前記ベースバンド信号に対してフィルタ処理を行うフィルタ処理部とを備え、前記受信処理制御手段は、前記受信信号の受信品質の高低に応じて、前記ベースバンド信号の回線品質の高低を制御する構成を採る。
【００２０】
この構成によれば、受信信号の受信品質が高い場合に、ベースバンド信号の回線品質を高くすることができ、受信信号の受信品質が低い場合に、フィルタ処理部の通過周波数帯域を狭め、妨害波の抑制機能を高めることができる。
【００２１】
本発明の受信装置は、前記受信処理制御手段は、前記フィルタ処理部において前記ベースバンド信号の通過周波数帯域を切り換える通過周波数帯域切換部と、前記受信信号の受信品質を測定する受信品質測定部と、前記受信品質の高低を決定する閾値に基づき前記受信品質の測定結果から受信品質の高低を判定し、この判定結果から前記通過周波数帯域切換部の切り換えを制御する閾値判定部とを備えた構成を採る。
【００２２】
この構成によれば、受信品質を測定し、この測定結果から受信品質の高低を判定し、この判定結果に基づきフィルタ処理部の通過周波数帯域を制御することができる。
【００２３】
本発明の受信方法は、受信信号の受信品質を測定する段階と、前記受信品質の高低を決定する閾値に基づき、前記測定された受信品質の高低を判定する段階と、前記受信品質が高いと判定された場合に前記受信信号の受信特性を高くする制御を行い、前記受信品質が低いと判定された場合に前記受信信号の受信特性を低くする制御を行う段階とを備えた構成を採る。
【００２４】
この受信方法によれば、受信信号の受信品質を測定した結果を閾値に対して比較することにより、受信品質の高低を判定することができ、この判定された受信品質の高低に応じて受信特性の高低を制御することができる。
【発明の効果】
【００２５】
本発明によれば、受信品質を向上することができるとともに、低消費電力化を実現することができる。更に、本発明によれば、受信品質を向上することができるとともに、妨害波の抑制能力を向上することができる。
【発明を実施するための最良の形態】
【００２６】
本発明の骨子は、受信信号の受信品質の高低に応じて、受信処理の受信特性の高低を制御するようにしたことである。
【００２７】
以下、本発明の実施の形態について図面を参照して詳細に説明する。なお、実施の形態の説明において、同一の構成要素には同一の参照符号を付し、その詳細な説明は重複するので省略する。
【００２８】
（実施の形態１）
図１に示すように、本発明の実施の形態１に係る受信装置１００は、受信信号に対して受信処理を行う受信処理部（受信処理手段）１０２と、受信信号の受信品質の高低に応じて、受信処理部１０２の受信特性の高低を制御する受信処理制御部（受信処理制御手段）１０４とを備えている。更に、受信装置１００は、無線信号を受信しこの受信信号（受信された無線信号）を受信処理部１０２に送信するアンテナ１０１と、受信処理部１０２において受信信号に受信処理を施し生成された受信ベースバンド信号を受信処理部１０２から入力する受信ベースバンド信号処理部１０３とを備えている。
【００２９】
なお、受信装置１００に組み込まれる、アンプ等の一般的な基本回路についての説明は省略する。
【００３０】
受信処理部１０２は、アンテナ１０１から伝送される受信信号に対して、周波数変換、フィルタ処理、アナログデジタル変換及び自動利得制御を少なくとも含む所定の受信処理を施し、所定のレベルの受信ベースバンド信号を出力する。図２に示すように、受信処理部１０２は、搬送波信号を出力する搬送波信号発生部１０２ａと、アンテナ１０１から伝送される受信信号と搬送波信号発生部１０２ａから出力される搬送波信号とを乗算し受信ベースバンド信号を生成する乗算処理部１０２ｂとを備えている。詳細な回路構成は省略するが、搬送波信号発生部１０２ａは、チャージポンプ、電圧制御発振器（ＶＣＯ）等を備えて構築されている。
【００３１】
受信ベースバンド信号処理部１０３は、受信処理部１０２から出力される受信ベースバンド信号を入力し、この受信ベースバンド信号に対して所定のベースバンド信号処理を施し、復調信号を生成する。
【００３２】
受信処理制御部１０４は、受信ベースバンド信号処理部１０３から出力される復調信号（復調された受信信号）の受信品質の高低を測定し、この測定された受信品質の高低に応じて受信処理部１０２の搬送波信号発生部１０２ａに受信処理制御信号を出力する。受信処理制御部１０４は、図３に示すように、搬送波信号発生部１０２ａに多くの駆動電流を供給する高受信品質モード電源部１０４ｄと、搬送波信号発生部１０２ａに少ない駆動電流（例えば、通常動作時の駆動電流）を供給する低消費電力モード電源部１０４ｅと、高受信品質モード電源部１０４ｄと低消費電力モード電源部１０４ｅとを切り換える電源切換部１０４ｃと、受信信号の受信品質を測定する受信品質測定部１０４ａと、受信品質の高低を決定する閾値に基づき受信品質の測定結果から受信品質の高低を判定し、この判定結果から電源切換部１０４ｃの切り換えを制御する閾値判定部１０４ｂとを備えている。
【００３３】
ここで、受信処理制御信号とは、高受信品質モード電源部１０４ｄ又は低消費電力モード電源部１０４ｅから供給される駆動電流である。携帯電話等の移動体通信端末装置の場合、駆動電流は電池又はバッテリィから供給される。受信処理制御信号は搬送波信号発生部１０２ａから出力される搬送波信号の出力レベルを調整することができ、搬送波信号の相対的なノイズ量を変化させることができる。搬送波信号は乗算処理部１０２ｂにおいて受信ベースバンド信号を生成するので、結果的に受信処理制御信号は受信処理部１０２の受信特性を制御することになる。
【００３４】
すなわち、実施の形態１に係る受信装置１００においては、アンテナ１０１から伝送される受信信号の受信品質が高い場合に、搬送波信号発生部１０２ａに多くの駆動電流を流して搬送波信号の出力レベルを高め、搬送波信号のノイズ量を相対的に減少することができる。従って、受信品質が高い状態の受信信号に対して、受信処理部１０２は高い受信特性において受信処理を行うことができる。また、受信装置１００においては、受信信号の受信品質が低い場合、例えば通常の受信品質の場合に、搬送波信号発生部１０２ａに流れる駆動電流を減少することができる。従って、消費電力を減少することができるので、低消費電力化を実現することができる。
【００３５】
次に、実施の形態１に係る受信装置１００の受信方法、特に受信信号の受信品質に応じて受信処理部１０２の受信特性を受信処理制御部１０４により制御する制御方法を、図４と前述の図１乃至図３とを用いて簡単に説明する。
【００３６】
まず最初に、アンテナ１０１、受信処理部１０２、受信ベースバンド信号処理部１０３のそれぞれを通して最終的に復調された受信信号が受信処理制御部１０４の受信品質測定部１０４ａに入力される。受信品質測定部１０４ａにおいては、ステップＳ１に示すように、受信信号の受信品質を測定する。
【００３７】
ステップＳ２に示すように、閾値判定部１０４ｂにおいて、受信品質の高低を決定する閾値に基づき、測定された受信品質の測定値が、閾値よりも高いのか、閾値よりも低いのかが判定される。例えば、受信信号のＳＮＲが低い、通常の受信品質において、搬送波信号のＳＮＲにより２５ｄＢまでのＳＮＲしか測定できない場合、受信品質の高低を決定する閾値は２０ｄＢに設定される。
【００３８】
閾値判定部１０４ｂにおいて、受信品質の測定値が閾値よりも高いと判定されると、この判定結果に基づき電源切換部１０４ｃにモード切換信号が出力される。電源切換部１０４ｃはモード切換信号に基づき高受信品質モード電源部１０４ｄを選択し、高受信品質モード電源部１０４ｄから搬送波信号発生部１０２ａに受信処理制御信号が出力される。すなわち、高受信品質モード電源部１０４ｄは搬送波信号発生部１０２ａに多くの駆動電流を供給する。この結果、ステップＳ３に示すように、搬送波信号発生部１０２ａにおいて、搬送波信号の出力レベルが高まり、搬送波信号の相対的なノイズ量を減少することができるので、受信処理部１０２においては、受信信号の受信品質が高い状態で、かつ高い受信特性で、受信信号の受信処理を行うことができる。
【００３９】
閾値判定部１０４ｂにおいて、受信品質の測定値が閾値よりも低いと判定されると、この判定結果に基づき電源切換部１０４ｃにモード切換信号が出力される。電源切換部１０４ｃはモード切換信号に基づき低消費電力モード電源部１０４ｅを選択し、低消費電力モード電源部１０４ｅから搬送波信号発生部１０２ａに受信処理制御信号が出力される。すなわち、低消費電力モード電源部１０４ｅは搬送波信号発生部１０２ａに少ない駆動電流を供給する。この結果、ステップＳ４に示すように、搬送波信号発生部１０２ａにおいて消費電力を減少することができ、低消費電力化を実現することができる。
【００４０】
このように、実施の形態１によれば、受信信号の受信品質が高い場合にこの高い受信品質を優先して受信特性を高くすることができるとともに、受信品質が低い場合に消費電力を減少することができる。特に、実施の形態１によれば、受信信号の受信品質の高低に応じて、搬送波信号の出力レベルの高低を制御することにより、受信信号の受信品質が高い場合に、搬送波信号発生部１０２ａに多くの駆動電流を流して搬送波信号の出力レベルを高め、搬送波信号の相対的なノイズ量を減少することができ、受信品質が低い場合に、搬送波信号発生部１０２ａに流す駆動電流を少なくすることができる。受信信号の受信品質が高い場合にこの高い受信品質を優先して受信特性を高くすることができる結果、ＳＮＲが劣化する主な要因の１つである受信装置１００の内部ノイズを減少することができ、受信装置１００において受信可能な最高のＳＮＲを高めることができる。従って、受信装置１００においては、適応変調方式による伝送レートを高めることができる。
【００４１】
（実施の形態２）
本発明の実施の形態２に係る受信装置１００のシステム構成は、前述の図１に示す実施の形態１に係る受信装置１００のシステム構成と基本的には同一である。すなわち、受信装置１００は、受信信号に対して受信処理を行う受信処理部１０２と、受信信号の受信品質の高低に応じて、受信処理部１０２の受信特性の高低を制御する受信処理制御部１０４とを備えている（図１参照。）。
【００４２】
実施の形態２に係る受信装置１００において、受信処理部１０２は、図５に示すように、乗算処理部１０２ｂから出力される受信ベースバンド信号のフィルタ処理を行うフィルタ処理部１０２ｃを備えている。ここで、フィルタ処理には、受信ベースバンド信号の妨害波を減衰させる処理が含まれる。
【００４３】
受信処理制御部１０４は、受信信号の受信品質の高低に応じてフィルタ処理部１０２ｃに受信処理制御信号を出力し、フィルタ処理部１０２ｃの通過周波数帯域（カットオフ周波数）を調整し、フィルタ処理部１０２ｃから出力されるフィルタ処理後の受信ベースバンド信号のＳＮＲの高低を制御する。同図５に示すように、受信処理制御部１０４は、フィルタ処理部１０２ｃにおいて受信ベースバンド信号の通過周波数帯域を切り換える通過周波数帯域切換部１０４ｆと、実施の形態１に係る受信装置１００の受信処理制御部１０４と同様の、受信信号の受信品質を測定する受信品質測定部１０４ａと、受信品質の高低を決定する閾値に基づき受信品質の測定結果から受信品質の高低を判定し、この判定結果から通過周波数帯域切換部１０４ｆの切り換えを制御する閾値判定部１０４ｂとを備えている。
【００４４】
ここで、受信処理制御信号とは、フィルタ処理部１０２ｃの通過周波数帯域を制御する信号である。すなわち、受信処理制御部１０４の通過周波数帯域切換部１０４ｆは、受信信号の受信品質が高い場合に、フィルタ処理部１０２ｃの通過周波数帯域を広げる受信処理制御信号を出力し、妨害波減衰特性を犠牲にして希望波を効率良く取り出し、フィルタ処理部１０２ｃからＳＮＲが高い状態のまま受信ベースバンド信号を出力できる制御を行う。受信信号の受信品質が高い場合においては、受信信号の希望波のレベルが大きく、相対的に妨害波のレベルが小さくなるので、妨害波減衰特性を犠牲にしても、実用上、妨害波によるＳＮＲが劣化する影響は極めて小さい。
【００４５】
一方、受信信号の受信品質が低い場合、例えば通常の受信品質の場合においては、受信処理制御部１０４の通過周波数帯域切換部１０４ｆは、フィルタ処理部１０２ｃの通過周波数帯域を狭める受信処理制御信号を出力し、妨害波減衰特性を高め、受信ベースバンド信号の妨害波減衰量の規格を満足させる制御を行う。更に、通過周波数帯域を狭める制御を行うことにより、フィルタ処理部１０２ｃにおける消費電力を減少することができるので、低消費電力化を実現することができる。
【００４６】
なお、実施の形態２に係る受信装置１００においては、例えばフィルタ処理部１０２ｃを単一のコンデンサを備えて構築し、その印加電圧を制御すれば通過周波数帯域を調整することができる。また、本発明は、部品点数が増加するものの、それぞれ異なる通過周波数帯域を有する複数個のフィルタによりフィルタ処理部１０２ｃを構築し、通過周波数帯域切換部１０４ｆから出力される受信処理制御信号により、いずれかのフィルタを選択するようにして通過周波数帯域を調整するようにしてもよい。
【００４７】
また、実施の形態２に係る受信装置１００の基本的な受信方法、特に受信信号の受信品質に応じて受信処理部１０２（ここではフィルタ処理部１０２ｃ）の受信特性を受信処理制御部１０４により制御する制御方法は、前述の実施の形態１に係る受信装置１００の受信方法と基本的には同様であるので、ここでの説明は省略する。
【００４８】
このように、実施の形態２によれば、受信信号の受信品質が高い場合に、フィルタ処理部１０２ｃから出力される受信ベースバンド信号のＳＮＲを高くすることができ、受信信号の受信品質が低い場合に、フィルタ処理部１０２ｃの通過周波数帯域を狭め、妨害波の抑制機能を高めることができる。
【００４９】
なお、本発明は上記実施の形態に限定されるものではない。例えば、実施の形態１及び実施の形態２においては、受信信号の受信品質の高低の２つのレベルに対して、受信処理部１０２の受信特性を高低の２つのレベルに制御する受信装置１００について説明したが、本発明は、受信信号の受信品質の３以上のレベルに対して、受信処理部１０２の受信特性を３以上のレベルに制御する受信装置１００としてもよい。この場合、受信処理制御部１０４の閾値判定部１０４ｂにおいては、受信信号の受信品質のレベルを判定する複数の閾値が設定される。
【００５０】
また、本発明は、受信信号の線形に変化する受信品質に対して、受信処理部１０２の受信特性を線形に制御する受信装置１００としてもよい。また、本発明は、受信信号の線形に変化する受信品質に対して、受信処理部１０２の受信特性を段階的に制御する受信装置１００としてもよい。
【００５１】
また、本発明は、受信処理制御部１０４の閾値判定部１０４ｂから出力されるモード切換信号の切り換えが頻繁に行われることを防止するために、閾値判定部１０４ｂにおいて例えば複数種類の閾値をヒステリシス曲線上に設定し、第１の低消費電力モード、第１の高受信品質モード、第２の高受信品質モード、第２の低消費電力モードの動作がそれぞれ連続的に行われるように、モード切換信号の出力を制御してもよい。
【００５２】
更に、本発明は、実施の形態１に係る受信装置１００と実施の形態２に係る受信装置１００とを組み合わせた受信装置としてもよい。すなわち、本発明は、前述の図５に示すように、乗算処理部１０２ｂ、搬送波信号発生部１０２ａ、フィルタ処理部１０２ｃにより受信装置１００の受信処理部１０２を構築し、搬送波信号発生部１０２ａの搬送波信号の出力レベルとフィルタ処理部１０２ｃの通過周波数帯域とを受信処理制御部１０４により適宜制御するようにしてもよい。
【産業上の利用可能性】
【００５３】
本発明に係る受信装置及び受信方法は、受信品質を向上することができるとともに、低消費電力化を実現することができるという効果を有し、携帯電話機、無線ＬＡＮ用携帯端末装置等の移動体通信端末装置、この移動体通信端末装置と無線通信を行う基地局装置、アクセスポイントに設置される中間基地局装置等、無線通信を行う装置全般において有用である。
【図面の簡単な説明】
【００５４】
【図１】本発明の実施の形態１に係る受信装置の構成を示すブロック図
【図２】図１に示す受信装置の受信処理部の構成を示すブロック図
【図３】図１に示す受信装置の受信処理制御部の構成を示すブロック図
【図４】図１に示す受信装置の受信方法を説明するフローチャート
【図５】本発明の実施の形態２に係る受信装置の受信処理部及び受信処理制御部の構成を示すブロック図
【図６】従来の受信装置及び送信装置の構成を示すブロック図
【図７】図６に示す受信装置の受信処理部の構成を示すブロック図
【符号の説明】
【００５５】
１００  受信装置
１０１  アンテナ
１０２  受信処理部
１０２ａ  搬送波信号発生部
１０２ｂ  乗算処理部
１０２ｃ  フィルタ処理部
１０３  受信ベースバンド信号処理部
１０４  受信処理制御部
１０４ａ  受信品質測定部
１０４ｂ  閾値判定部
１０４ｃ  電源切換部
１０４ｄ  高受信品質モード電源部
１０４ｅ  低消費電力モード電源部
１０４ｆ  通過周波数帯域切換部
【図１】
2005210171.tif 000003
【図２】
2005210171.tif 000004
【図３】
2005210171.tif 000005
【図４】
2005210171.tif 000006
【図５】
2005210171.tif 000007
【図６】
2005210171.tif 000008
【図７】
2005210171.tif 000009